(57)【要約】【課題】患者が使用している酸素濃縮装置の情報及びその他の医療機器の計測情報等を簡易且つ確実に医師等の医療従事者に報知させることができる医療機器遠隔操作装置等を提供すること。【解決手段】対象者に高濃度の酸素を供給するための酸素濃縮装置１０を遠隔的に操作する医療機器遠隔操作装置１００であって、酸素濃縮装置及び対象者の生体情報を計測する生体情報測定装置３０と通信可能な構成となっている共に酸素濃縮装置から取得した動作情報及び生体情報測定装置から取得した生体情報を、医療従事者が管理する端末装置９０に送信する構成となっている医療機器遠隔操作装置１００。【選択図】  図１
2016099866.tif 000002
【特許請求の範囲】
【請求項１】
対象者に高濃度の酸素を供給するための酸素濃縮装置を遠隔的に操作する医療機器遠隔操作装置であって、
前記酸素濃縮装置及び対象者の生体情報を計測する生体情報測定装置と通信可能な構成となっている共に前記酸素濃縮装置から取得した動作情報及び前記生体情報測定装置から取得した前記生体情報を、医療従事者が管理する端末装置に送信する構成となっていることを特徴とする医療機器遠隔操作装置。
【請求項２】
前記酸素濃縮装置の適切な動作のための動作参考情報を生成し、前記端末装置に送信する構成となっていることを特徴とする請求項１に記載の医療機器遠隔操作装置。
【請求項３】
前記酸素濃縮装置の前記動作情報と前記生体情報の相関情報を生成し、前記端末装置に送信する構成となっていることを特徴とする請求項１又は請求項２に記載の医療機器遠隔操作装置。
【請求項４】
対象者に高濃度の酸素を供給するための酸素濃縮装置と、
前記酸素濃縮装置を遠隔的に操作する医療機器遠隔操作装置と、
対象者の生体情報を計測する生体情報測定装置と、を有し、
前記医療機器遠隔操作装置は、前記生体情報測定装置と通信可能な構成となっていると共に、前記酸素濃縮装置から取得した動作情報及び前記生体情報測定装置から取得した前記生体情報を、医療従事者が管理する端末装置に送信する構成となっていることを特徴とする医療機器情報管理システム。
【請求項５】
対象者に高濃度の酸素を供給するための酸素濃縮装置を遠隔的に操作する医療機器遠隔操作装置が、前記酸素濃縮装置の動作情報を取得する工程と、
対象者の生体情報を計測する生体情報測定装置から前記生体情報を取得する工程と、
前記酸素濃縮装置の前記動作情報及び前記生体情報測定装置から取得した前記生体情報を、医療従事者が管理する端末装置に送信する工程と、を有することを特徴とする医療機器情報管理方法。
【発明の詳細な説明】
【技術分野】
【０００１】
本発明は、例えば、高濃度の酸素を吸引するために自宅で患者が使用する酸素濃縮装置の情報や、患者が自宅で使用するその他の血圧計等の医療機器の生体情報を管理するための医療機器遠隔操作装置、医療機器情報管理システム及び医療機器情報管理方法に関するものである。
【背景技術】
【０００２】
従来より、肺に疾病を抱える患者が高濃度の酸素を吸引するために使用する酸素濃縮装置が種々提案されている（例えば、特許文献１）。
このような酸素濃縮装置は、大気の一部を用いて圧縮機により圧縮空気を作り、この圧縮された空気を吸着用の筒体内部に送り込み、この吸着筒体内の吸着剤に窒素を吸着させることにより生成した酸素を、鼻カニューラを用いて、患者に摂取させる構造となっている。
そして、患者が自宅で使用している酸素濃縮装置の酸素流量等は，各患者の経皮的動脈血酸素飽和度等の各種生体情報に基づいて、調整等する必要があるため、各患者は、酸素濃縮装置の酸素流量のデータと共に、自宅でパルスオキシメータ等により計測した経皮的動脈酸素飽和度データ等の各種生体情報を病院等に持参し、医師の判断を受けることが好ましい。
【先行技術文献】
【特許文献】
【０００３】
【特許文献１】特開２００２−１２１０１０号公報
【発明の概要】
【発明が解決しようとする課題】
【０００４】
しかしながら、このようなデータを患者が病院等に行く際に持参することは困難であり、医師等が正確に酸素流量等の調整等をすることができない場合があるという問題があった。
【０００５】
そこで、本発明は、患者が使用している酸素濃縮装置の情報及びその他の医療機器の計測情報等を簡易且つ確実に医師等の医療従事者に報知させることができる医療機器遠隔操作装置、医療機器情報管理システム及び医療機器情報管理方法を提供することを目的とする。
【課題を解決するための手段】
【０００６】
上記目的は、本発明にあっては、対象者に高濃度の酸素を供給するための酸素濃縮装置を遠隔的に操作する医療機器遠隔操作装置であって、前記酸素濃縮装置及び対象者の生体情報を計測する生体情報測定装置と通信可能な構成となっている共に前記酸素濃縮装置から取得した動作情報及び前記生体情報測定装置から取得した前記生体情報を、医療従事者が管理する端末装置に送信する構成となっていることを特徴とする医療機器遠隔操作装置により達成される。
【０００７】
前記構成によれば、酸素濃縮装置から取得した動作情報及び生体情報測定装置から取得した生体情報を、医療従事者が管理する端末装置に送信する構成となっている。
このため、患者が使用している酸素濃縮装置の情報及びその他の医療機器の計測情報等を簡易且つ確実に医師等の医療従事者に報知させることができ、医師等が正確に酸素流量等の調整等を指示することが可能となる。
また、特に、患者がこれらの情報を個別に取得して、医師等の医療従事者に提供する必要がないので、患者がかかる情報を医師等に提供し忘れることを未然に防止することができる。
【０００８】
好ましくは、前記酸素濃縮装置の適切な動作のための動作参考情報を生成し、前記端末装置に送信する構成となっていることを特徴とする。
【０００９】
前記構成によれば、動作参考情報として、例えば、酸素濃縮装置の酸素流量と生体情報測定装置である例えば、パルスオキシメータの経皮的動脈血酸素飽和度の情報から「酸素流量と経皮的動脈酸素飽和度の相関図」のデータを生成し、医師等に提供することができる。
このため、患者の心肺機能に余計な負担をかけるリスクを低減させるため、医師等が、経皮的動脈血酸素飽和度に応じた酸素流量を定めるときの参考情報を提供することができる。
【００１０】
好ましくは、前記酸素濃縮装置の前記動作情報と前記生体情報の相関情報を生成し、前記端末装置に送信する構成となっていることを特徴とする。
【００１１】
前記構成によれば、生体情報の相関情報として、例えば、酸素濃縮装置の酸素流量、生体情報測定装置である心電計の心電図及び生体情報測定装置である血圧計の血圧値の情報から「酸素流量、心電図及び血圧のトレンドグラフ」のデータを生成し、医師等に提供することができる。
医師等は、患者に対し自宅における心電図等の異常等の発生の予防等の指導等をする必要があるが、このとき、医師等が、予め患者の心電図や血圧値等の異常な挙動を起こるときの酸素流量値の相関関係を把握することで、有効な指導等が可能となる。上記データはかかる指導等を行う際の参考情報を提供するものである。
【００１２】
上記目的は、本発明にあっては、対象者に高濃度の酸素を供給するための酸素濃縮装置と、前記酸素濃縮装置を遠隔的に操作する医療機器遠隔操作装置と、対象者の生体情報を計測する生体情報測定装置と、を有し、前記医療機器遠隔操作装置は、前記生体情報測定装置と通信可能な構成となっていると共に、前記酸素濃縮装置から取得した動作情報及び前記生体情報測定装置から取得した前記生体情報を、医療従事者が管理する端末装置に送信する構成となっていることを特徴とする医療機器情報管理システムにより達成される。
【００１３】
上記目的は、本発明にあっては、対象者に高濃度の酸素を供給するための酸素濃縮装置を遠隔的に操作する医療機器遠隔操作装置が、前記酸素濃縮装置の動作情報を取得する工程と、対象者の生体情報を計測する生体情報測定装置から前記生体情報を取得する工程と、前記酸素濃縮装置の前記動作情報及び前記生体情報測定装置から取得した前記生体情報を、医療従事者が管理する端末装置に送信する工程と、を有することを特徴とする医療機器情報管理方法により達成される。
【発明の効果】
【００１４】
以上説明したように、本発明によれば、患者が使用している酸素濃縮装置の情報及びその他の医療機器の計測情報等を簡易且つ確実に医師等の医療従事者に報知させることができる医療機器遠隔操作装置、医療機器情報管理システム及び医療機器情報管理方法を提供できるという利点がある。
【図面の簡単な説明】
【００１５】
【図１】本発明における医療機器情報管理システムである例えば、医療情報管理システムを示す概略図である。
【図２】図１の酸素濃縮装置の概略外観斜視図である。
【図３】図１の酸素濃縮装置の主な構成を示す概略ブロック図である。
【図４】図１の心電計の主な構成を示す概略ブロック図である。
【図５】図１の血圧計の主な構成を示す概略ブロック図である。
【図６】図１のパルスオキシメータの主な構成を示す概略ブロック図である。
【図７】図１のリモコンの主な構成を示す概略ブロック図である。
【図８】リモコン側第１の各種情報記憶部の内容を示す概略ブロック図である。
【図９】リモコン側第２の各種情報記憶部の内容を示す概略ブロック図である。
【図１０】本実施の形態にかかる医療情報管理システムの主な動作例等を示す概略フローチャートである。
【図１１】本実施の形態にかかる医療情報管理システムの主な動作例等を示す他の概略フローチャートである。
【図１２】本実施の形態にかかる医療情報管理システムの主な動作例等を示す他の概略フローチャートである。
【発明を実施するための形態】
【００１６】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明における医療機器情報管理システムである例えば、医療情報管理システム１を示す概略図である。
図１に示すように、医療情報管理システム１は、対象者である例えば、患者の自宅等に配置され、患者に高濃度の酸素を供給するための酸素濃縮装置１０を有している。また、同様に自宅等に配置され、患者の生体情報を計測する各種生体情報測定装置を有している。
生体情報測定装置としては、例えば、図１に示す血圧計３０、心電計５０及びパルスオキシメータ７０等である。
血圧計３０及び心電計５０は、患者の生体情報である血圧値及び心電図を計測し、パルスオキシメータ７０は、プローブを患者の指先や耳に付けて生体情報である例えば、脈拍数、経皮的動脈血酸素飽和度（ＳｐＯ２）をモニターする医療機器である。
【００１８】
また、本システム１は、酸素濃縮装置１０を遠隔的に操作するための医療機器遠隔操作装置である例えば、酸素濃縮装置用リモコン（以下「リモコン」という。）１００を有している。
このリモコン１００は、酸素濃縮装置１０の動作等を操作するだけでなく、酸素濃縮装置１０における「酸素流量値」等の情報を取得することができる構成となっている。
また、リモコン１００は、Ｂｌｕｅｔｏｏｔｈ（ブルートゥース（登録商標））等の近距離無線通信が可能な構成となっている。
【００１９】
一方、血圧計３０、心電計５０及びパルスオキシメータ７０もＢｌｕｅｔｏｏｔｈ（ブルートゥース）等の近距離無線通信が可能な構成となっている。このため、リモコン１００は、血圧計３０、心電計５０及びパルスオキシメータ７０と通信することで、これら血圧計３０、心電計５０及びパルスオキシメータ７０のそれぞれ血圧値、心電図及び経皮的動脈血酸素飽和度等を通信により取得することができる構成となっている。
【００２０】
また、本システム１は、病院等に配置され、医師等の医療従事者が管理する端末装置である例えば、コンピュータ等の医師用端末９０を有している。そして、医師用端末９０は、インターネット網２及び基地局３を介して、図１のリモコン１００と通信可能な構成となっている。
【００２１】
図１に示すリモコン１００、酸素濃縮装置１０，血圧計３０、心電計５０、パルスオキシメータ７０及び医師用端末９０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２２】
図２は、図１の酸素濃縮装置１０の概略外観斜視図である。
図２において、酸素濃縮装置１０は、例えば、上端に取っ手となるハンドル１２を設けた縦長の本体ケース１１を備えている。
本体ケース１１の上端付近において、やや前傾して設けた操作パネル１３には、左から順に、ダイヤル式の電源スイッチ１４と、酸素出口１５と、酸素流量設定スイッチ１６と、例えば、ＬＥＤまたは液晶表示等にて、セグメント数字で表示を行う酸素流量表示部１８が配置されている。
また、酸素出口１５の上方には，酸素出口１５に形成された段差部に対して気密状態に係合されると共に、着脱自在に設けられるカプラ２１が示されている。このカプラ２１には、鼻カニューラ２２等のチューブ２３の開口部が連通するようにセットされている。
【００２３】
本体ケース１１の底蓋２６には、４つのゴム足２７が四隅に固定されており、床面上に設置して使用するときの横滑りを防止している。
一方、外出時等の移動時に使用するキャリア２５が２本固定ネジで底蓋２６に対して固定できるように構成されている。このキャリア２５には、上記の各ゴム足２７を収容できる孔部１０ａが対応位置に穿設させるとともに、図１に示すように四隅に樹脂製の自在キャスタが配置されている。
【００２４】
図３は、図１の酸素濃縮装置１０の主な構成を示す概略ブロック図である。
図３に示すように、酸素濃縮装置１０は、「酸素濃縮装置制御部１１０」を有し、酸素濃縮装置制御部１１０は，図２に示す操作パネル１３や、図２に示す酸素濃縮装置１０の主な動作等を行う酸素濃縮装置本体１１１を制御する他、酸素濃縮装置１０が他の機器と通信する際に用いられる「酸素濃縮装置側通信装置１１２」も制御する。
【００２５】
また、酸素濃縮装置側制御部１１０は、酸素濃縮装置１０の酸素流量値等の動作情報を記憶する「酸素濃縮装置側計測情報記憶部１１３」や、当該酸素濃縮装置１０を他の医療機器と識別するための識別情報を記憶する「酸素濃縮装置側医療機器識別情報記憶部１１４」等も制御する構成となっている。
【００２６】
図４は、図１の心電計５０の主な構成を示す概略ブロック図である。
図４に示すように、心電計５０は、「心電計制御部５１」を有し、心電計制御部５１は，リモコン１００と通信するための心電計側通信装置５２、各種情報を表示する「心電計側ディスプレイ５３」、「心電計側入力装置５４」及び心電図等の生成等の心電計５０の主な動作を行う「心電計本体５５」を制御する。
また、心電計制御部５１は、心電計５０の心電図等の情報を記憶する「心電計側情報記憶部５６」や、当該心電計５０を他の医療機器と識別するための識別情報を記憶する「心電計側医療機器識別情報記憶部５７」等も制御する構成となっている。
【００２７】
図５は、図１の血圧計３０の主な構成を示す概略ブロック図である。
図５に示すように、血圧計３０は「血圧計制御部３１」を有し、血圧計制御部３１は、リモコン１００と通信するための心血圧計側通信装置３２、各種情報を表示する「血圧計側ディスプレイ３３」、「血圧計側入力装置３４」及び血圧値等の生成等の血圧計３０の主な動作を行う「血圧計本体３５」を制御する。
また、血圧計制御部３１は、血圧計３０の血圧値等の情報を記憶する「血圧計側情報記憶部３６」や、当該血圧計３０を他の医療機器と識別するための識別情報を記憶する「血圧計側医療機器識別情報記憶部３７」等も制御する構成となっている。
【００２８】
図６は、図１のパルスオキシメータ７０の主な構成を示す概略ブロック図である。
図６に示すように、パルスオキシメータ７０は「パルスオキシメータ制御部７１」を有し、パルスオキシメータ制御部７１は、リモコン１００と通信するための「パルスオキシメータ側通信装置７２」、各種情報を表示する「パルスオキシメータ側ディスプレイ７３」、「パルスオキシメータ側入力装置７４」及び経皮的動脈血酸素飽和度等を生成するパルスオキシメータ７０の主な動作を行う「パルスオキシメータ本体７５」を制御する。
【００２９】
また、パルスオキシメータ制御部７１は、パルスオキシメータ７０の経皮的動脈血酸素飽和度等の情報を記憶する「パルスオキシメータ側情報記憶部７６」や、当該パルスオキシメータ７０を他の医療機器と識別するための識別情報を記憶する「パルスオキシメータ側医療機器識別情報記憶部７７」等も制御する構成となっている。
【００３０】
図７は、図１のリモコン１００の主な構成を示す概略ブロック図である。
図７に示すように、リモコン１００は「リモコン制御部１０１」を有し、リモコン制御部１０１は、図１の医師用端末９０、酸素濃縮装置１０及び血圧計３０等と通信するための「リモコン側通信装置１０２」、各種情報を表示する「リモコン側ディスプレイ１０３」及び「リモコン側入力装置１０４」を制御する。
【００３１】
また、リモコン制御部１０１は、図７に示す「リモコン側第１の各種情報記憶部１４０」及び「リモコン側第２の各種情報記憶部１３０」を制御する。
図８及び図９は、それぞれ「リモコン側第１の各種情報記憶部１４０」及び「リモコン側第２の各種情報記憶部１３０」の内容を示す概略ブロック図である。これらの具体的な内容については後述する。
【００３２】
図１０乃至図１２は、本実施の形態にかかる医療情報管理システム１の主な動作例等を示す概略フローチャートである。
以下、図１０乃至図１２のフローチャートに沿って、本実施の形態の主な動作例を説明すると共に、図１乃至図９の構成等についても説明する。
本実施の形態では、患者が自宅に配置している「酸素濃縮装置１０」は、患者が、その「リモコン１００」を用いて遠隔操作すると共に、患者の自宅には、血圧計３０、心電計５０及びパルスオキシメータ７０が配置されている。
また、図１に示すように、リモコン１００は、基地局３及びインターネット網２を介して、患者の主治医である医師の医師用端末９０に通信可能に接続されている。
【００３３】
なお、本実施の形態では、医療機器遠隔操作装置の一例としてリモコン１００で説明するが、本発明は、これに限らず、通信が可能な携帯端末、例えば、タブレット型のコンピュータ等であっても構わない。
【００３４】
先ず、図１０のステップＳＴ（以下「ＳＴ」という。）１では、患者が、自宅に配置してある酸素濃縮装置１０、心電計５０、血圧計３０及びパルスオキシメータ７０を使用する。この使用によって、酸素濃縮装置１０は、その動作情報である酸素流量情報等を図３の酸素濃縮装置側計測情報記憶部１１３に、当該情報の計測時刻情報と関連付けて記憶される。
したがって、酸素濃縮装置側計測情報記憶部１１３には、酸素流量情報等が、その計測情報と共に記憶される。
【００３５】
また、心電計５０の使用によって、その心電図情報が図４の心電計側計測情報記憶部５６に、当該心電図情報の計測時刻情報と関連付けて記憶される。
したがって、心電計側計測情報記憶部５６には、心電図情報が、その計測情報と共に記憶される。
【００３６】
また、同様に血圧計３０やパルスオキシメータ７０の使用によって、血圧値情報や経皮的動脈血酸素飽和度情報が、それぞれ血圧計側計測情報記憶部３６（図５）及びパルスオキシメータ側計測情報記憶部７６（図６）に、それらの計測時刻情報と関連付けて記憶される。
したがって、血圧計側計測情報記憶部３６（図５）及びパルスオキシメータ側計測情報記憶部７６（図６）には、血圧値情報や経皮的動脈血酸素飽和度情報が、それらの時刻情報と共に記憶される。
【００３７】
次いで、ＳＴ２へ進む。患者が図１のリモコン１００を所持すると、リモコン１００のリモコン側通信装置１０２の近距離無線通信が動作し、リモコン１００は、通信可能な医療機器が存在するか否かを判断し、通信可能な医療機器が存在するときはＳＴ３へ進む。
本実施の形態では、例えば、図１の酸素濃縮装置１０，血圧計３０、心電計５０及びパルスオキシメータ７０の存在を把握した例で説明する。
【００３８】
ＳＴ３では、これら通信可能な医療機器の識別情報が、リモコン１００に既登録であるか否かを判断する。
すなわち、リモコン１００には、当該患者が使用する医療機器の識別情報は予め登録されており、それらの情報は、図８の「リモコン側医療機器識別情報記憶部１４１」に記憶されている。
例えば、酸素濃縮装置１０の識別情報が「０００１」、心電計５０の識別情報が「０００２」、血圧計３０の識別情報が「０００３」及びパルスオキシメータ７０の識別情報が「０００４」等である。
【００３９】
したがって、ＳＴ３では、存在を把握した医療機器から通信により、識別情報を取得する。例えば、図１の酸素濃縮装置１００からは、図３の酸素濃縮装置側医療機器識別情報記憶１１４に記憶されている識別情報（０００１）を取得する。
心電計５０、血圧計３０及びパルスオキシメータ７０からは、それぞれ心電計側医療機器識別情報記憶部５７（図４）、血圧計側医療機器識別情報記憶部３７及びパルスオキシメータ側医療機器識別情報記憶部７７（図６）に記憶されている識別情報（０００２）、（０００３）及び（０００４）を取得する。
【００４０】
そして、これら取得した識別情報がリモコン側医療機器識別情報記憶部１４１に記憶されている識別情報と一致するか否かを判断し、一致した場合は、ＳＴ４に進む。
【００４１】
ＳＴ４では、識別情報が一致した医療機器に記憶されている時刻情報付き計測情報を図８の「リモコン側医療機器測定情報記憶部１４２」に記憶する。
具体的には、酸素濃縮装置１０の図３の酸素濃縮装置側計測情報記憶部１１３、心電計５０の心電計側医療機器識別情報記憶部５７、血圧計３０の血圧計側医療機器識別情報記憶部３７及びパルスオキシメータ７０のパルスオキシメータ側医療機器識別情報記憶部７７の情報をリモコン１００が取得し、その情報を図８のリモコン側医療機器測定情報記憶部１４２に時刻情報と関連付けて記憶する。
【００４２】
一方、ＳＴ３で、存在を把握しているが既登録の医療機器がある場合は、登録工程等で新規登録をし、又は、対象外の医療機器であるとの処理等を行う。
このように、本実施の形態では、医療機器の識別情報を確認することで、リモコン１００が誤って他人の計測情報等を取得することを未然に防止することができる。
【００４３】
次いで、ＳＴ６へ進む。ＳＴ６では、図８の「相関図基本情報確認部（プログラム）１４３」が動作する。すなわち、ＳＴ６以下では、動作参考情報である例えば、「経皮的動脈血酸素飽和度と酸素流量の相関図」データを作成するための工程となる。
すなわち、医師等に対し、パルスオキシメータ７０から取得される経皮的動脈血酸素飽和度のデータと、酸素濃縮装置１０の酸素流量のデータの相関図データを提供するための工程となる。
【００４４】
医師等は、相関図データの経皮的動脈血酸素飽和度と酸素流量を参照することで、適切な酸素流量を知ることができ、経皮的動脈血酸素飽和度に応じた酸素濃縮装置１０の酸素流量を調整することで、患者の心肺機能に余計な負荷をかけるリスクを低減させることができる。
したがって、このような相関図データを予め生成し、医師等に提供することで医師等の判断に有効な参考資料を提供することができる。
【００４５】
具体的には、以下のような工程を経て生成される。ＳＴ６では、図８のリモコン側医療機器測定情報記憶部１４２を参照し、酸素濃縮装置１０の酸素流量情報とパルスオキシメータ７０の経皮的動脈血酸素飽和度情報が同時期に存在するか否かを判断する。
ＳＴ６で、酸素流量情報と経皮的動脈血酸素飽和度情報が同時期に存在しない場合、正確な相関図データを作成できないと判断して、ＳＴ７へ進む。
【００４６】
ＳＴ７では、リモコン１００が、そのディスプレイ（酸素流量表示部１８等）に「酸素濃縮装置及びパルスオキシメータの最新のデータを取得してください」と表示し、患者等に、これらの最新のデータの取得を促す。
次いで、図１０のＳＴ１で、これらのデータが取得され、ＳＴ２乃至ＳＴ６の工程が実行される。
したがって、本実施の形態では、常に、正確な経皮的動脈血酸素飽和度と酸素流量の相関図データが生成される構成となっている。
【００４７】
一方、ＳＴ６で、酸素流量情報と経皮的動脈血酸素飽和度情報が同時期に存在すると判断されたときは、図１１のＳＴ８へ進む。
ＳＴ８では、図８の「相関図情報生成部（プログラム）１４４」が動作し、図８のリモコン側医療機器測定情報記憶部１４２の同時期の酸素濃縮装置１０の酸素流量情報とパルスオキシメータ７０の経皮的動脈血酸素飽和度情報に基づいて「経皮的動脈血酸素飽和度と酸素流量の相関図データ」を生成し、図８の「相関図情報記憶部１４５」に記憶させる。
【００４８】
次いで、ＳＴ９へ進む。ＳＴ９では、図９の「トレンドグラフ基本情報確認部（プログラム）１３１」が動作する。すなわち、ＳＴ９以下では、生体情報の相関情報である例えば、「酸素流量、心電図及び血圧値のトレンドグラフ」データを作成するための工程となる。
すなわち、医師等に心電図や血圧値が異常な挙動を起こしたとき、酸素流量値とどのような相関となっているかを示す「トレンドグラフ」データを生成する工程である。
【００４９】
医師等は、トレンドグラフデータを参照することで、酸素流量値と心電図及び血圧値との関係を知ることができ、患者の自宅における異常事態の予防等を指導等することができる。
したがって、本実施の形態では、このような患者の自宅における異常事態の予防等に資するデータを医師等に提供することができる。
【００５０】
具体的には、以下のような工程を経て生成される。ＳＴ９では、図８のリモコン側医療機器測定情報記憶部１４２を参照し、酸素濃縮装置１０の酸素流量情報、心電計５０の心電図情報及び血圧計３０の血圧情報が同時期に存在するか否かを判断する。
ＳＴ９で、酸素流量情報、心電図情報及び血圧情報が同時期に存在しない場合、正確なトレンドデータを作成できないと判断して、ＳＴ１０へ進む。
【００５１】
ＳＴ１０では、リモコン１００が、そのディスプレイ（酸素流量表示部１８等）に「酸素濃縮装置、心電計及び血圧計の最新のデータを取得してください」と表示し、患者等に、これらの最新のデータの取得を促す。
次いで、ＳＴ１１で、これらのデータが取得され、次いで、図１０のＳＴ２乃至ＳＴ４と同様の内容である図１１のＳＴ１２乃至ＳＴ１４の工程が実行される。
【００５２】
したがって、本実施の形態では、常に、正確な酸素流量、心電図及び血圧値のトレンドグラフデータが生成される構成となっている。
【００５３】
一方、ＳＴ９で、酸素流量情報、心電図情報及び血圧情報が同時期に存在すると判断された場合は、図１２のＳＴ１５へ進む。
ＳＴ１５では、図９の「トレンドグラフ情報生成部（プログラム）１３２」が動作し、図８のリモコン側医療機器測定情報記憶部１４２の同時期の酸素濃縮装置１０の酸素流量情報、心電計５０の心電図情報及び血圧計３０の血圧情報に基づいて、「トレンドグラフデータ」を生成し、図９の「トレンドグラフ情報記憶部１３３」に記憶する。
【００５４】
次いで、ＳＴ１６へ進む。ＳＴ１６では、リモコン１００が、図１の医師用端末９０へ図８のリモコン側医療機器測定情報記憶部１４２、相関図情報記憶部１４５、及びトレンドグラフ情報記憶部１３３の情報を送信する。
【００５５】
以上のように、本実施の形態では、酸素濃縮装置１０を操作するリモコン１００を患者が所持するだけで、自動的に患者が使用する酸素濃縮装置１０、血圧計３０、心電計５０及びパルスオキシメータ７０のデータを担当医師の医師用端末９０に送信する構成となっている。
このため、患者がこれらのデータの報告を医師等にし忘れることを未然に防止することができる。
【００５６】
また、これに加えて、酸素濃縮装置１０の酸素流量等のデータから「経皮的動脈血酸素飽和度と酸素流量の相関図」データや「酸素流量、心電図及び血圧値のトレンドグラフ」データ」等を生成して、医師用端末９０に送信するので、医師等の判断の参考資料を併せて提供することができる。
さらに、通信装置として、リモコン１００を用いるので、特に、通信用に特別な機器を用意する必要がなく、コストを低減させることができると共に、患者も取り扱う機器が増えることがないので、操作し易いシステムとなっている。
【００５７】
ところで、本発明は、上述の実施の形態に限定されない。
【符号の説明】
【００５８】
１・・・医療情報管理システム、２・・・インターネット網、３・・・基地局、１０・・・酸素濃縮装置、１０ａ・・・孔部、１１・・・本体ケース、１２・・・ハンドル、１３・・・操作パネル、１４・・・電源スイッチ、１５・・・酸素出口、１６・・・酸素流量設定スイッチ、１８・・・酸素流量表示部、２１・・・カプラ、２２・・・鼻カニューラ、２３・・・チューブ、２５・・・キャリア、２６・・・底蓋、２７・・・ゴム足、３０・・・血圧計、３１・・・血圧計制御部、３２・・・心血圧計側通信装置、３３・・・血圧計側ディスプレイ、３４・・・血圧計側入力装置、３５・・・血圧計本体、３６・・・血圧計側情報記憶部、３７・・・血圧計側医療機器識別情報記憶部、５０・・・心電計、５１・・・心電計制御部、５２・・・心電計側通信装置、５３・・・心電計側ディスプレイ、５４・・・心電計側入力装置、５５・・・心電計本体、５６・・・心電計側情報記憶部、５７・・・心電計側医療機器識別情報記憶部、７０・・・パルスオキシメータ、７１・・・パルスオキシメータ制御部、７２・・・パルスオキシメータ側通信装置、７３・・・パルスオキシメータ側ディスプレイ、７４・・・パルスオキシメータ側入力装置、７５・・・パルスオキシメータ本体、７６・・・パルスオキシメータ側情報記憶部、７７・・・パルスオキシメータ側医療機器識別情報記憶部、９０・・・医師用端末、１００・・・酸素濃縮装置用リモコン、１０１・・・リモコン制御部、１０２・・・リモコン側通信装置、１０３・・・リモコン側ディスプレイ、１０４・・・リモコン側入力装置、１１０・・・酸素濃縮装置制御部、１１１・・・酸素濃縮装置本体、１１２・・・酸素濃縮装置側通信装置、１１３・・・酸素濃縮装置側計測情報記憶部、１１４・・・酸素濃縮装置側医療機器識別情報記憶部、１３０・・・リモコン側第２の各種情報記憶部、１３１・・・トレンドグラフ基本情報確認部（プログラム）、１３２・・・トレンドグラフ情報生成部（プログラム）、１３３・・・トレンドグラフ情報記憶部、１４０・・・リモコン側第１の各種情報記憶部、１４１・・・リモコン側医療機器識別情報記憶部、１４２・・・リモコン側医療機器測定情報記憶部、１４３・・・相関図基本情報確認部（プログラム）、１４４・・・相関図情報生成部（プログラム）、１４５・・・相関図情報記憶部
【図１】
2016099866.tif 000003
【図２】
2016099866.tif 000004
【図３】
2016099866.tif 000005
【図４】
2016099866.tif 000006
【図５】
2016099866.tif 000007
【図６】
2016099866.tif 000008
【図７】
2016099866.tif 000009
【図８】
2016099866.tif 000010
【図９】
2016099866.tif 000011
【図１０】
2016099866.tif 000012
【図１１】
2016099866.tif 000013
【図１２】
2016099866.tif 000014